(57)【特許請求の範囲】
【請求項１】
アンテナが形成され可視光を透過する基材と、
前記アンテナに対して給電するための給電部材が接続される給電部と、
前記基材を設備の可視側から位置決めするための、可視光を透過するフランジと、
前記基材を前記設備に取り付ける作業が行われる当該設備の非可視側から位置決めするための位置決め構造体と
を有することを特徴とするアンテナ構造体。
【請求項２】
前記給電部は、設備に前記基材が取り付けられた際、当該基材に対して当該設備の非可視側に向けた位置に設けられることを特徴とする請求項１記載のアンテナ構造体。
【請求項３】
前記給電部は、前記フランジと一体的に形成され、当該フランジから前記基材の取り付け側とは反対側の位置に形成されることを特徴とする請求項２記載のアンテナ構造体。
【請求項４】
前記フランジは、前記給電部に比べて幅の広い幅広構造を有し、前記基材を挟み込んで固定することを特徴とする請求項１記載のアンテナ構造体。
【請求項５】
前記フランジは、前記給電部の数に応じた複数の前記幅広構造を有し、複数の当該幅広構造を結ぶ連結部を有することを特徴とする請求項４記載のアンテナ構造体。
【請求項６】
前記フランジは、前記基材の延びる方向と交差する方向に分割する分割構造であり、
前記位置決め構造体は、前記フランジの前記分割構造の分割方向とは交差する方向に分割するネジ部と、当該ネジ部にネジ込むことで当該フランジを前記設備に締め付ける締め付け部と、を有することを特徴とする請求項１記載のアンテナ構造体。
【請求項７】
前記位置決め構造体は、前記フランジに比べて可視光を透過し難い部材で形成されることを特徴とする請求項１記載のアンテナ構造体。
【請求項８】
前記位置決め構造体は、
前記給電部に組み付けられ、当該給電部から伸びる基板を覆うネジ部と、
前記設備の非可視側から前記ネジ部にネジ付けて締め付けることで前記基材を当該設備に位置決めする締め付け部と
を有することを特徴とする請求項１記載のアンテナ構造体。
【請求項９】
前記位置決め構造体の前記ネジ部は、ネジを有しない領域を有することを特徴とする請求項８記載のアンテナ構造体。
【請求項１０】
前記位置決め構造体は、前記領域において複数に分割され、当該分割面に、凹部と凸部を有し、当該位置決め構造体を前記給電部に組み付ける際には当該凹部と当該凸部とが篏合することを特徴とする請求項９記載のアンテナ構造体。
【請求項１１】
第一の直径を有する雌ネジと、当該第一の直径より大きな第二の直径を有する袋状部とからなるナットによって、前記設備に固定することを特徴とする請求項１記載のアンテナ構造体。
【請求項１２】
複数のアンテナが形成され可視光を透過する膜材または板材で形成される基材と、
前記複数のアンテナの個々のアンテナから延伸し、当該個々のアンテナに対して給電するための給電部材が接続される複数の給電部と、
前記基材を保持するとともに、前記複数の給電部を連結する、可視光を透過するフランジと
を有し、
可視光を透過する前記基材及び前記フランジはユーザから見える露出部分であり、前記複数の給電部は当該露出部分に含まれない、ことを特徴とするアンテナ構造体。
【請求項１３】
前記複数の給電部の個々の給電部に対して設けられ、前記基材を設備に位置決めするための位置決め構造体を更に備え、
前記位置決め構造体は、前記フランジに比べて可視光を透過し難い部材で形成されていることを特徴とする請求項１２記載のアンテナ構造体。
【発明の詳細な説明】
【技術分野】
【０００１】
本発明は、設備に取り付けられるアンテナ構造体に関する。
【背景技術】
【０００２】
特許文献１では、ガラス張りの面に容易に組み込むために、ＲＦ信号を送受信する放射素子のアレイを有する光透過性アンテナを備える光透過性パネルアンテナ・アセンブリに関し、該アセンブリは、光透過性反射器を備え、該反射器は、下壁および２つの側壁を有し、各側壁は下壁から延びて、この反射器の両側壁の間に放射素子のアレイを保持する技術が開示されている。
【先行技術文献】
【特許文献】
【０００３】
【特許文献１】特表２０１６−５２５８４９号公報
【発明の概要】
【発明が解決しようとする課題】
【０００４】
一般に、可視光透過アンテナは、アンテナ面が透明で環境に溶け込むアンテナを目指して設計されている。しかしながら、アンテナ構造体には、例えばアンテナと給電基板との接続部や、例えばアンテナとケーブルとの接続部などがある。そのため、これらを隠す目的で例えば給電カバー部分などを用いた場合であっても、接続部などの要素が例えば不透明であることから、この給電カバー部分などを含めたアンテナ構造体と設備との姿態を良好とするには限界があった。【０００５】
本発明の目的は、設備に取り付けられた際に、本技術を採用しない場合に比べて設備の可視側からの視覚的外観をより良好とするアンテナ構造体を提供することにある。
【課題を解決するための手段】
【０００６】
請求項１に記載の発明は、アンテナが形成され可視光を透過する基材と、前記アンテナに対して給電するための給電部材が接続される給電部と、前記基材を設備の可視側から位置決めするための、可視光を透過するフランジと、前記基材を前記設備に取り付ける作業が行われる当該設備の非可視側から位置決めするための位置決め構造体とを有することを特徴とするアンテナ構造体である。
請求項２に記載の発明は、前記給電部は、設備に前記基材が取り付けられた際、当該基材に対して当該設備の非可視側に向けた位置に設けられることを特徴とする請求項１記載のアンテナ構造体である。
請求項３に記載の発明は、前記給電部は、前記フランジと一体的に形成され、当該フランジから前記基材の取り付け側とは反対側の位置に形成されることを特徴とする請求項２記載のアンテナ構造体である。
請求項４に記載の発明は、前記フランジは、前記給電部に比べて幅の広い幅広構造を有し、前記基材を挟み込んで固定することを特徴とする請求項１記載のアンテナ構造体である。
請求項５に記載の発明は、前記フランジは、前記給電部の数に応じた複数の前記幅広構造を有し、複数の当該幅広構造を結ぶ連結部を有することを特徴とする請求項４記載のアンテナ構造体である。
請求項６に記載の発明は、前記フランジは、前記基材の延びる方向と交差する方向に分割する分割構造であり、前記位置決め構造体は、前記フランジの前記分割構造の分割方向とは交差する方向に分割するネジ部と、当該ネジ部にネジ込むことで当該フランジを前記設備に締め付ける締め付け部と、を有することを特徴とする請求項１記載のアンテナ構造体である。
請求項７に記載の発明は、前記位置決め構造体は、前記フランジに比べて可視光を透過し難い部材で形成されることを特徴とする請求項１記載のアンテナ構造体である。
請求項８に記載の発明は、前記位置決め構造体は、前記給電部に組み付けられ、当該給電部から伸びる基板を覆うネジ部と、前記設備の非可視側から前記ネジ部にネジ付けて締め付けることで前記基材を当該設備に位置決めする締め付け部とを有することを特徴とする請求項１記載のアンテナ構造体である。
請求項９に記載の発明は、前記位置決め構造体の前記ネジ部は、ネジを有しない領域を有することを特徴とする請求項８記載のアンテナ構造体である。
請求項１０に記載の発明は、前記位置決め構造体は、前記領域において複数に分割され、当該分割面に、凹部と凸部を有し、当該位置決め構造体を前記給電部に組み付ける際には当該凹部と当該凸部とが篏合することを特徴とする請求項９記載のアンテナ構造体である。
請求項１１記載の発明は、第一の直径を有する雌ネジと、当該第一の直径より大きな第二の直径を有する袋状部とからなるナットによって、前記設備に固定することを特徴とする請求項１記載のアンテナ構造体である。
請求項１２に記載の発明は、複数のアンテナが形成され可視光を透過する膜材または板材で形成される基材と、前記複数のアンテナの個々のアンテナから延伸し、当該個々のアンテナに対して給電するための給電部材が接続される複数の給電部と、前記基材を保持するとともに、前記複数の給電部を連結する、可視光を透過するフランジとを有し、可視光を透過する前記基材及び前記フランジはユーザから見える露出部分であり、前記複数の給電部は当該露出部分に含まれない、ことを特徴とするアンテナ構造体である。
請求項１３に記載の発明は、前記複数の給電部の個々の給電部に対して設けられ、前記基材を設備に位置決めするための位置決め構造体を更に備え、前記位置決め構造体は、前記フランジに比べて可視光を透過し難い部材で形成されていることを特徴とする請求項１２記載のアンテナ構造体である。
【発明の効果】
【０００７】
請求項１の発明によれば、設備に取り付けられた際に、本技術を採用しない場合に比べて設備の可視側からの視覚的外観をより良好とすることができる。
請求項２の発明によれば、可視側から給電部が見え難くなり、景観が良好となる。
請求項３の発明によれば、可視側に位置するフランジと非可視側に延伸する給電部との一体性が得られる。
請求項４の発明によれば、可視側に設けられるフランジによる固定機能を、本構成を採用しない場合に比べて良好とすることができる。
請求項５の発明によれば、複数のアンテナを有する構造体にて、設備の可視側からの視覚的外観をより良好とすることができる。
請求項６の発明によれば、分割構造を採用しない場合に比べて、コストを軽減できる。
請求項７の発明によれば、構造物をユーザから、より見え難くすることができる。
請求項８の発明によれば、本構成を採用しない場合に比べ、アンテナが形成される基材をより良好に設備に取り付けることが可能となる。
請求項９の発明によれば、ネジを有しない領域がない場合に比べて金型の複雑化を回避できる。
請求項１０の発明によれば、嵌合時に長手方向へのずれをなくすことができる。
請求項１１の発明によれば、例えば厚さの薄い天井板等の設備にも、より確実に固定することができる。
請求項１２の発明によれば、設備に取り付けられた際に、本技術を採用しない場合に比べて設備の可視側からの視覚的外観をより良好とすることができる。
請求項１３の発明によれば、複数のアンテナを有する基材が設備に取り付けられた際、本技術を採用しない場合に比べて、各構造物がユーザへ、より見え難くなる。
【図面の簡単な説明】
【０００８】
【図１】本実施形態が適用されるアンテナ構造体の構成を示した斜視図である。
【図２】図１に示すアンテナ構造体から位置決め構造体のナットを取り外した状態を示す斜視図である。
【図３】給電部を説明するための図である。
【図４】（ａ）〜（ｃ）は、フランジ、ネジ部、およびナットを説明するための構成図である。
【図５】（ａ）、（ｂ）は、設備の一例である天井にアンテナ構造体を取り付けた状態を説明するための図である。
【図６】（ａ）〜（ｃ）は、前述の実施形態であるアンテナ構造体１の変形例を示した図である。
【発明を実施するための形態】
【０００９】
〔アンテナ構造体〕
以下、添付図面を参照して、本発明の実施形態について詳細に説明する。
まず、図１〜図５を用いて、本実施の形態が適用されるアンテナ構造体について説明する。
図１は、本実施形態が適用されるアンテナ構造体１の構成を示した斜視図である。また図２は、図１に示すアンテナ構造体１から位置決め構造体６０のナット７１を取り外した状態を示す斜視図である。また図３は、給電部２０を説明するための図である。更に図４（ａ）〜（ｃ）は、フランジ５０、ネジ部６１、およびナット７１を説明するための構成図である。また更に、図５（ａ）、（ｂ）は、設備の一例である天井１００にアンテナ構造体１を取り付けた状態を説明するための図である。
なお、図１および図２にて、ｘ方向は、例えば設備の一例である天井１００の面の下方に起立したフィルム１１の、天井１００の表面に沿う延伸方向であり、ｙ方向は、天井１００の表面に沿う、ｘ方向に直交する方向である。また、ｚ方向は、ｘ方向およびｙ方向に対して直交する、天井１００の非可視側（上方）に向けた方向である。
【００１０】
本実施形態が適用されるアンテナ構造体１は、高周波回路が形成され、例えばフレキシブルプリント基板の一つであるアンテナ部１０と、アンテナ部１０に対して給電するための給電部材の一つである同軸ケーブル４０が接続される給電部２０とを備えている。また、アンテナ構造体１は、アンテナ部１０や給電部２０を、天井１００などの設備に位置決めするためのフランジ５０および位置決め構造体６０を備えている。
【００１１】
〔アンテナ部１０〕
アンテナ部１０は、フィルムアンテナとして構成することが可能であり、例えばＰＥＴ（Poly Ethylene Terephthalate）樹脂などの可視光を透過する光透過性の高い透明な樹脂製素材からなるフィルム１１を基材としている。そして、このフィルム１１に、光透過性が高くなるように導電材の材料が選定され、および／または光透過性が高くなるように導電材の配置が行なわれたアンテナ１２が形成されている。アンテナ１２は、例えば８００ＭＨｚ帯と２.１ＧＨｚ帯との２周波を共用する２周波共用アンテナ１２ａと、グランド（ＧＮＤ）に接続されるアンテナＧＮＤ部１２ｂとを備えている。
【００１２】
図１に示すアンテナ構造体１の例では、２組のアンテナ１２が設けられており、複数個のアンテナ１２を組み合わせてデータ送受信のスループットを上げるＭＩＭＯ（multiple-input and multiple-output）システムに対応している。そして、個々のアンテナ１２に対応して給電部２０が設けられており、図１に示すアンテナ構造体１の例では２組のアンテナ１２及び給電部２０が形成されている。
【００１３】
〔フランジ５０〕
フランジ５０は、２組のアンテナ１２を結ぶアンテナ部１０の延びる方向（図のｘ方向）を長手方向とする長尺状の構造物である。このフランジ５０は、基材であるアンテナ部１０のフィルム１１の延びる方向と直交する方向（図のｙ方向）に分割する分割構造を有し、設備（例えば天井１００）の可視側（例えば天井１００の下側）からフィルム１１を位置決めする機能を有する。そして、フランジ５０は、本実施の形態では、可視光を透過する、すなわち光透過性を有する透明な樹脂部材によって形成されている。天井１００などの設備の色に適合させて色彩のついた可視光透過部材を採用してもよいし、設備の色や模様に適合させて、色彩や模様がついた可視光不透過部材を採用してもよいが、他との互換性を高めるためには、無色の可視光透過部材で構成されることがより好ましい。このように無色の可視光透過部材で構成されることにより、設置場所に合わせて部材を選定する必要がなくなる。これにより多種類の部材を作る必要がなくなるため、大量生産しやすくなる。
【００１４】
２つ（一対）のフランジ５０は、天井１００などの設備の可視側からアンテナ部１０を位置決めしている。すなわち、アンテナ部１０のフィルム１１は、２組のアンテナ１２の間にて、一対のフランジ５０に挟まれ、２組のアンテナ１２の間のフィルム１１の姿勢が、フランジ５０によって安定して保たれている。このように、フィルム１１は、一対のフランジ５０に挟まれて固定されることで、撓みなどが抑制されている。なお、本実施形態において、フランジ５０の厚さ（後述する対峙面５１）は約３ｍｍとしている。この厚さが厚すぎると透過性が低下し、この厚さが薄すぎるとフィルム１１を安定して固定できない。この厚さを適正に設定することにより、透過性を保ちつつ、フィルム１１を安定して固定することができる。
【００１５】
図４（ａ）には、個々のフランジ５０の構成が示されている。設備に取り付けられる一対のフランジ５０は、部品点数を減らすために、同一の形状のものが採用されている。
図４（ａ）に示すように、フランジ５０は、長尺部５２を有し、この長尺部５２の一端および他端には、給電部２０の組付構造が形成されるとともに、この給電部２０および組み付け構造よりも幅の広い幅広構造５２ａが形成される。すなわち、フランジ５０は、給電部２０の数に応じた複数の幅広構造５２ａを有し、この複数の幅広構造５２ａを結ぶ連結部として長尺部５２を有する、とも言い換えられる。幅広構造５２ａは、アンテナ部１０のフィルム１１を挟み込んで固定する機能を備える。２つのフランジ５０が合わさる際に対峙する対峙面５１は、この幅広構造５２ａが形成される箇所まで伸びているが、この対峙面５１にはアンテナ部１０のフィルム１１が当接し、２つのフランジ５０による２つの対峙面５１によってフィルム１１が挟まれる。長尺部５２の上面５２ｂと幅広構造５２ａは、アンテナ構造体１が天井１００などの設備に取り付けられた際に、設備に当接する。
【００１６】
フランジ５０の長尺部５２の一端および他端に形成される給電部２０の組み付け構造は、天井１００（設備）の非可視側（ｚ方向）に向けて伸びる位置に形成されており、押圧面５３よりもさらに非可視側に、給電部２０を押圧する押圧面５３、凹部５４、凸部５５を有する。そして、押圧面５３にてネジを用いて給電基板（後述）を押圧するために、一端の押圧面５３には、ネジ締め付け孔５６が形成され、他方の押圧面５３には、ネジ切り孔５７が形成されている。凹部５４および凸部５５は、その後の組み付けにて、ネジ部６１と嵌合する。
【００１７】
〔位置決め構造体６０〕
位置決め構造体６０は、ネジ部６１、および締め付け部の一例としてのナット７１を有している。
位置決め構造体６０は、図２に示すように、２組の給電部２０の各々に、それぞれ２つのネジ部６１によって、給電部２０から伸びる基板（後述）を覆う円筒状の雄ネジ構造が形成されている。そして、この円筒状の雄ネジ構造は、設備の非可視側（ｚ方向）である天井裏に向けて起立するように設けられる。部品点数を減らすために、組み合わせて用いられる２つのネジ部６１は同一の形状を有しており、例えば、各々にて４つのビス６９によって固定されている。また、対峙する２つのネジ部６１には互換性があることから、２つのネジ部６１を反転させることで、組み合わせて雄ネジ構造を形成することが可能である。２つのネジ部６１が反転して組み込まれることから、ビス６９の締め付け方向は、左右（周方向の対応する位置）にて反対方向となっている。通常、円筒状の雄ネジ構造を１本の部品で作ると、金型との関係で、型に対して捻りながら部品を取り出すことが必要となる。しかしながら、円筒状の雄ネジ構造を縦に分割することで、成型に要する手間を軽減できる。
【００１８】
また、本実施の形態におけるネジ部６１は、光透過性部材で形成したフランジ５０とは異なり、可視光を透過しない不透明樹脂などの不透明部材によって形成されている。不透明部材を用いることで外からの光を遮断し、２つのネジ部６１によって形成される雄ネジ構造の内部を見え難くしている。
【００１９】
図４（ｂ）には、個々のネジ部６１の構成が示されている。図４（ｂ）に示すように、ネジ部６１は、ネジ切り部６２と、平面部６３と、平面部６３から延びる嵌合部６４とを有している。また、分割された雄ネジ構造を組み立てて固定するためのネジ切り６５と、ねじ穴６６とを有している。更に、同軸ケーブル４０を通過させ固定するためのケーブルガイド溝６７を有している。
【００２０】
ネジ切り部６２は、二条ネジ構造を有している。二条ネジは、ネジ山を形成する螺旋部を２列、存在させ、ネジが一回転でピッチの２倍分、移動するネジである。一条ネジ構造とすると、雄ネジ構造を２つに分割した場合に、互いのピッチがずれることから、共通の分割部品を合わせてもネジの山と山、谷と谷とが一致せず、分割部品として共通の部品を採用することができない。しかしながら、二条ネジ構造を採用することで、左右対称とすることができ、共通のネジ部６１を合わせて雄ネジ構造を採用した場合でも、２つのネジ山の１つは連続させることが可能となり、雄ネジ構造としての機能を実現することができる。また、ネジ部６１を一つの金型で制作することができるため、型代費用の発生を抑えられるとともに、高い生産性で生産することも可能となる。
【００２１】
また、本実施の形態では、ネジ部６１にて、ネジの一部が二条ネジ構造を有しない平面部６３を、２面、形成している。ネジ切り部６２の間を平面とすることで、ネジ部６１の形成に際して用いられる金型を単純化させている。すなわち、ネジ切り部６２を分割部分まで形成すると、その分割部分のネジの端が急峻となり、これを形成しようとすると抜きの型が複雑となる。そこで、平面部６３を設けることで、金型の複雑化を回避した。また、平面部６３に製品の銘板を取り付けることもできる。またネジ部６１は、平面部６３に連続する位置に嵌合部６４が設けられている。図４（ｂ）では凸形状が示されているが、図２に示すように、凸形状に嵌合する相手側は凹形状となっている。これにより、嵌合時に長手方向へのずれをなくすことが出来、ナット７１でスムーズに締め付けをすることが可能となる。なお、この平面部６３は必ずしも平面である必要はなく、例えば曲面であっても良い。
【００２２】
位置決め構造体６０のナット７１は、２つのネジ部６１によって形成される雄ネジ構造に非可視側からねじ込まれ、締め付けられることで、天井１００の裏側（非可視側）からアンテナ構造体１を固定する。本実施の形態が適用されるナット７１は、図１および図４（ｃ）に示すように、内側に雌ネジ７６を有する小外径部７２と、内部７７が袋状である大外径部７３と、大外径部７３の端部に形成される円環状の底面７４とを有している。小外径部７２と大外径部７３との間にはリブ７５が設けられている。ナット７１を締め付ける際、ユーザはリブ７５に指をかけることで、締め付けが容易となる。
【００２３】
本実施の形態におけるナット７１は、光透過性部材で形成したフランジ５０とは異なり、可視光を透過し難い不透明樹脂などの不透明部材によって形成されている。ネジ部６１と同様に、不透明部材を用いることで、外から（例えば天井１００の裏側から）の光の透過を抑制（または遮断）してアンテナ部１０側（例えば天井１００の表側）から内部７７に含まれる構造物を見え難くしている。
【００２４】
ここで、通常のネジとナットの構造では、ネジ切りのなされている部分までしか締め付けることができない。しかしながら、本実施の形態におけるナット７１では、内部７７を袋状としていることで、ナット７１の底面７４が、天井１００などの設備の裏面に押し当てられるまで締め付けることができるため、厚さの薄い天井板等にも確実に固定することができる。このとき、給電部２０は、袋状である内部７７に被さる。この給電部２０を覆うナット７１の内部７７が袋状となっていることで、例えば天井１００の裏側である非可視側からの光が天井１００の可視側に漏れ難い。一般に、明るい方から暗い方を見ると、反射して、暗い方が見え難くなる。ナット７１の内部７７には構造体である給電部分が存在するが、ナット７１の内部７７を袋状とし、空間部分で光を透過し難く（または遮断）することで、アンテナ部１０側（例えば天井１００の表側）から給電部分を見え難くし、ユーザに対して異物感を与えない。
【００２５】
〔給電部２０〕
次に、本実施の形態が適用される給電部２０について説明する。本実施の形態では、複数のアンテナ１２の個々のアンテナ１２から延伸し、この個々のアンテナ１２に対して給電するための給電部材である同軸ケーブル４０が接続される複数の給電部２０を有している。
図３に示すように、個々の給電部２０は、同軸ケーブル４０が接続される給電基板２１を有しており、アンテナ部１０の接点１３をフランジ５０の押圧面５３によって給電基板２１に押圧している。給電基板２１は、例えば、ＦＲ-４（Flame Retardant- 4）やＣＥＭ-３（Composite epoxy material-3）などのガラスエポキシ（ガラエポ）素材の基板上であってアンテナ部１０の接点１３と対峙する面に、例えば銅によってパターンが形成されている。この給電基板２１は、中央に給電基板アンテナ給電部２１ａと、給電基板アンテナ給電部２１ａの周囲に給電基板アンテナ給電部２１ａとは絶縁された給電基板ＧＮＤ部２１ｂとが形成されている。そして、給電基板２１上の中央に設けられた給電基板アンテナ給電部２１ａと同軸ケーブル４０の芯線４１とが半田接合され、給電基板２１上の給電基板ＧＮＤ部２１ｂと同軸ケーブル４０の外導体４２とが半田接合されている。
【００２６】
給電部２０の組み立てでは、同軸ケーブル４０が半田付けされた給電基板２１の給電基板アンテナ給電部２１ａと給電基板ＧＮＤ部２１ｂとを、アンテナ部１０の接点１３に対峙させ、２つのフランジ５０にて押し当てる。そして、一方のフランジ５０のネジ締め付け孔５６にネジ５８を通し、他方のフランジ５０のネジ切り孔５７にねじ込むことで、給電基板２１とアンテナ部１０とを２つのフランジ５０に挟み込む。このとき、アンテナ部１０は、接点１３だけではなく、フィルム１１の上端部領域１１ａも２つのフランジ５０に挟まれ、アンテナ部１０の基材となるフィルム１１の姿勢が良好に保たれる。なお、２つのフランジ５０が重ね合わされた長尺部５２の一端側と他端側とでは、ネジ５８を通す方向が逆となる。
また、このように給電基板２１を２つのフランジ５０にて押し当てる構造とすることで、別途押し当てる部材を必要とせずに給電基板２１とアンテナ部１０の接点１３を押圧し、確実に接続できるようにする。そして、透明化できない給電基板２１を非可視側である天井１００の裏側に配置することで、可視側である天井１００の表側からは見えない様にすることができるため、可視側からの視覚的外観をより良好とすることができる。
【００２７】
〔位置決め構造体６０の組み立て〕
前述の図３を用いて説明したように、給電部２０をフランジ５０によって組み立てた後、図４（ｂ）に示すネジ部６１を用いて、図２に示すような構造体を組み立てる。より具体的には、フィルム１１を挟んで２つのフランジ５０を重ね合わせた方向（ｙ方向）とは直交する方向（ｘ方向）に、一方のネジ部６１を押し当て、ｚ方向の上下方向を反転させた他方のネジ部６１を押し当てる。図示しないが、ネジ部６１の内部には、フランジ５０の凹部５４および凸部５５に合わせて切り込みが形成されている。そして、一方のネジ部６１の嵌合部６４の凸形状と、他方のネジ部６１の嵌合部６４の凹形状とが噛み合い、図２に示すように組み立てられる。ネジ部６１の内部の切り込みと、フランジ５０の凹部５４および凸部５５とによって、フランジ５０とネジ部６１との位置が一意に決定され、組み合わさる。このとき、同軸ケーブル４０は、図４（ｂ）に示すケーブルガイド溝６７に案内される。その後、ビス６９を、１つの給電部２０に対して４本ずつ、ｙ方向にて方向を変えて挿入し、締め付けることで、位置決め構造体６０のネジ部６１と、アンテナ部１０と給電部２０と同軸ケーブル４０とを有するフランジ５０と、が、図２に示すような一つの構造物として形成される。
【００２８】
〔天井１００への組み込み例〕
図５（ａ）は、天井１００の下方（居住スペース）である可視側から、天井１００に組み付けられたアンテナ構造体１を眺めた図である。一方、図５（ｂ）は、天井１００の上方（天井裏）である非可視側から、天井１００に組み付けられたアンテナ構造体１を眺めた図である。天井には、給電部２０を構成するフランジ５０の突出部（押圧面５３、凹部５４、凸部５５）が通るとともに、フランジ５０の幅広構造５２ａが通らない、という寸法範囲の貫通孔があけられている。
【００２９】
図５（ａ）に示すように、天井１００の可視側からは、アンテナ構造体１を構成するアンテナ部１０と、フランジ５０（フランジ５０の長尺部５２および幅広構造５２ａ）だけが現われ、それ以外の構造体は表面に現われない。アンテナ部１０の基材であるフィルム１１は、光透過性の高い透明な素材が使用され、アンテナ１２は光透過性が高くなるように形成されており、アンテナ部１０は全体として光透過性が高い。更に加えて、可視側に現われるフランジ５０は、可視光を透過する、すなわち光透過性を有する透明な樹脂部材によって形成されている。このように、ユーザから見える露出部分の構造物は全て透明であり、アンテナ構造体１を環境に溶け込ますことが可能となる。
【００３０】
一方、図５（ｂ）に示すように、天井１００の上方（天井裏）では、ネジ部６１にナット７１がねじ込まれ、ナット７１の底面７４（図４（ｃ）参照）が、天井１００の裏面に押し当てられて締め付けられる。これによって、天井１００の可視側からフランジ５０の長尺部５２および幅広構造５２ａが天井１００に当接し、天井１００の非可視側からナット７１の底面７４が押し当てられ、アンテナ部１０は、天井１００に固定される。なお、ナット７１は、前述のように非透過性の部材であり、ナット７１の内部７７が袋状であることから、内部７７が暗い空間となり可視側から構造物が見えにくい。
【００３１】
〔変形例〕
図６（ａ）〜（ｃ）は、前述の実施形態であるアンテナ構造体１の変形例を示した図である。図６（ａ）に示すアンテナ構造体２は、アンテナ部１０に４つのアンテナ１２が設けられ、位置決め構造体６０のネジ部６１およびナット７１も４つ、備えられている。フランジ５０は、図４（ａ）の変形として、１つの長尺部５２に４つの幅広構造５２ａが形成されている。このように、本実施の形態では、アンテナ１２の個数は、２つのみならず、４つ、６つなど、複数個のアンテナ１２を一つの構造体に形成することが可能である。そして、これらのように構成した場合でも、フランジ５０に可視光透過部材を用い、天井１００の可視側から見えるものは可視光透過とすることで、天井１００にアンテナ構造体２を取り付けた場合であっても、環境に溶け込ませることが可能となる。また、４つ、６つなど、数が増えた場合でも、フランジ５０が有する対峙面５１によってアンテナ部１０のフィルム１１を挟み込み、フィルム１１を伸ばした状態で保持することができる。
【００３２】
図６（ｂ）に示すアンテナ構造体３は、１つの構造体に形成されるアンテナ１２の個数が１つである。このように、本実施の形態では、アンテナ１２の個数は複数個とせず、単一のアンテナ１２と、ネジ部６１およびナット７１が単一の位置決め構造体６０を用いている。かかる場合でも、フランジ５０に可視光透過部材を用いることで、天井１００にアンテナ構造体３を取り付けた場合であっても、構造体の取り付けに伴いユーザに生じ得る違和感を軽減できる。
【００３３】
図６（ｃ）に示すアンテナ構造体４は、複数のアンテナ１２のうち隣り合う２つのアンテナ１２によって形成される距離ｄが、図１に示すアンテナ構造体１に比べて短いことに特徴がある。例えば、アンテナ１２の中心のピッチが、アンテナ構造体１で約２００ｍｍであるが、アンテナ構造体４ではアンテナ１２の中心のピッチ（距離ｄ）が約７０ｍｍと短い。ここでも、フランジ５０には可視光透過部材を採用し、天井１００の可視側からの視認性を低くして、環境への違和感を軽減している。
【００３４】
なお、本実施の形態では、アンテナ構造体１〜４を設備の一例として天井１００に取り付けることで説明したが、垂直壁などの他の設備に取り付けることも可能である。かかる場合には、アンテナが向く面が可視側、その可視側と反対側の面が非可視側となる。
【符号の説明】
【００３５】
１，２，３，４…アンテナ構造体、１０…アンテナ部、１１…フィルム、１２…アンテナ、１３…接点、２０…給電部、２１…給電基板、４０…同軸ケーブル、５０…フランジ、５２…長尺部、５２ａ…幅広構造、６０…位置決め構造体、６１…ネジ部、７１…ナット、１００…天井
【図１】
0006713694.tif 000002
【図２】
0006713694.tif 000003
【図３】
0006713694.tif 000004
【図４】
0006713694.tif 000005
【図５】
0006713694.tif 000006
【図６】
0006713694.tif 000007